(57)【要約】【課題】優れた取扱性、写真保護性、意匠性及び低廉性を有し、任意個所に容易に写真を飾ることができる封筒型フォトフレームの提供を目的とするものである。【解決手段】本発明の封筒型フォトフレームは、封筒状に重畳連結された表シート５及び裏シート６を有する方形の外枠１とこの外枠１に丁度入る形状の台紙２及び透明フィルム３とを備えており、外枠１が半透明のトレーシングペーパーから形成され、表シート５の中央部に開口窓７を有し、台紙２における開口窓７と合致する位置に写真枠用止付切込み２０を有している。裏シート６は、スタンド片１７が形成可能なスタンド用止付切込み８を有するとよい。当該封筒型フォトフレームは、裏シート６側を貼着可能に構成する自己粘着シート４等の貼着手段をさらに備えるとよい。【選択図】  図１
2005058251.tif 000002
【特許請求の範囲】
【請求項１】
封筒状に重畳連結された表シート及び裏シートを有する方形の外枠と、この外枠に丁度入る形状の台紙及び透明フィルムとを備えており、
外枠が半透明のトレーシングペーパーから形成され、
表シートの中央部に開口窓を有し、
台紙における上記開口窓と合致する位置に写真枠用止付切込みを有している封筒型フォトフレーム。
【請求項２】
上記トレーシングペーパーがクラシコトレーシングペーパーである請求項１に記載の封筒型フォトフレーム。
【請求項３】
上記台紙の表裏面のうち少なくとも写真枠用止付切込みより外側に模様が印刷されている請求項１又は請求項２に記載の封筒型フォトフレーム。
【請求項４】
上記裏シートにスタンド片が形成可能なスタンド用止付切込みを有している請求項１、請求項２又は請求項３に記載の封筒型フォトフレーム。
【請求項５】
上記裏シート側を貼着可能に構成する貼着手段をさらに備えている請求項１から請求項４のいずれか１項に記載の封筒型フォトフレーム。
【請求項６】
上記貼着手段として自己粘着シートが用いられており、
この自己粘着シートが、基材層と、この基材層の裏面に積層される自己粘着処理層と、この自己粘着処理層の裏面に積層される離型シートと、基材層の表面の中央部に積層される粘着剤層と、この粘着剤層の表面に積層される離型シートとを備えている請求項５に記載の封筒型フォトフレーム。
【発明の詳細な説明】
【０００１】
【発明の属する技術分野】
本発明は、写真を入れて飾ることができる封筒型フォトフレームに関するものである。
【０００２】
【従来の技術】
今日では、カメラが広く普及しており、焼き付けも廉価になっているため、写真は比較的簡単に多量に作成されている。さらに、デジタルカメラも普及してきており、インクジェットプリンターを用いて写真が個人的に印刷できることからも、写真は日常的に頻繁に作成されている。
【０００３】
写真を入れて飾ることができるフォトフレームとしては、従来、重厚な額縁等が使用されている。かかる従来のフォトフレームは、比較的高価であり、その重量及び形状から設置個所が棚等の一定個所に制限され、壁等の垂直面への設置にはネジ釘等の打ち込みを必要とし、容易ではない。
【０００４】
【発明が解決しようとする課題】
上述のように従来のフォトフレームは高価でかつ設置個所に制限があることから、沢山の写真を容易に部屋に飾りたいという今日的欲求を満たすことができない。そのため、多くの写真を部屋に飾る手段としてはコルクボード等に直接写真を張り付けること等が一般的に採用されているが、かかる手段では比較的早く写真の汚れや劣化を招くという不都合がある。
【０００５】
本発明はこれらの不都合に鑑みてなされたものであり、優れた取扱性、写真保護性、意匠性及び低廉性を有し、任意個所に容易に写真を飾ることができる封筒型フォトフレームの提供を目的とするものである。
【０００６】
【課題を解決するための手段】
上記課題を解決するためになされた発明は、封筒状に重畳連結された表シート及び裏シートを有する方形の外枠とこの外枠に丁度入る形状の台紙及び透明フィルムとを備えており、外枠が半透明のトレーシングペーパーから形成され、表シートの中央部に開口窓を有し、台紙における上記開口窓と合致する位置に写真枠用止付切込みを有している封筒型フォトフレームである。
【０００７】
当該封筒型フォトフレームは、台紙の中央部を写真枠用止付切込みに沿って切除し、台紙、透明フィルム及び写真を表側からこの順に重ねて外枠に入れることで、封入した写真が表シートの開口窓を介して外部から視認可能になる。また、当該封筒型フォトフレームは、表シートの開口窓が透明フィルムによって被覆されていることから、外枠内に封入した写真が視認性を阻害することなく保護される。また、当該封筒型フォトフレームは、外枠が半透明のトレーシングペーパーから形成されていることから、表シートにおける開口窓の外側部分の半透明性に起因して内部の台紙がぼかされた状態で視認され、その結果、封入した写真に意匠性の高い写真枠が付加される。さらに、当該封筒型フォトフレームは、紙製の比較的簡単な構造でかつ軽量であるため、安価に製造され、貼着等により種々の場所に容易に設置することができる。なお、当該封筒型フォトフレームは、台紙の写真枠用止付切込み内にメッセージや宛名等が記入できるため、写真を入れてプレゼントするのに好適である。
【０００８】
上記外枠を形成するトレーシングペーパーとしてはクラシコトレーシングペーパーが好ましい。かかるクラシコトレーシングペーパーは、強度、厚さ、張力、耐水性等が高いため、当該封筒型フォトフレームの強度、耐久性等を向上することができる。
【０００９】
上記台紙は、表裏面のうち少なくとも写真枠用止付切込みより外側部分に模様を印刷するとよい。この手段によれば、組立後に台紙の外側部分の模様が半透明の表シートを通して視認され、当該封筒型フォトフレームの意匠性を向上させることができる。また、かかる台紙の表面の模様と裏面の模様とを違えることで、台紙をリバーシブルで使用でき、フォトフレームとしての意匠性を台紙の表裏２パターンで切り替えることができる。
【００１０】
上記裏シートは、スタンド片が形成可能なスタンド用止付切込みを有するとよい。当該手段によれば、裏シートのスタンド用止付切込みに沿って切断し、このスタンド用止付切込みで囲まれるスタンド片を外側に曲折することで、裏シート側にスタンドが形成され、当該封筒型フォトフレームにスタンド機能が付与される。
【００１１】
当該封筒型フォトフレームは、裏シート側を貼着可能に構成する貼着手段をさらに備えるとよい。当該手段によれば、貼着手段によって当該封筒型フォトフレームを種々の場所に容易に貼着することができる。
【００１２】
上記貼着手段としては、基材層と、この基材層の裏面に積層される自己粘着処理層と、この自己粘着処理層の裏面に積層される離型シートと、基材層の表面の中央部に積層される粘着剤層と、この粘着剤層の表面に積層される離型シートとを備える自己粘着シートを用いるとよい。当該自己粘着シートによれば、両面の離型シートを剥離し、露出した粘着剤層を外枠の裏シートに貼設することで、当該封筒型フォトフレームの裏面側を例えば部屋の窓ガラス、冷蔵庫の壁面等の平滑面に自在に貼り付けることができる。また、当該自己粘着シートは、自己粘着処理層が有する自己粘着性を用いているため、貼り直しが容易かつ自在に行え、貼り付け面を汚したり、傷つけることが防止される。さらに、当該自己粘着シートは、外枠の裏シートに貼着する粘着剤層が基材層の中央部のみに積層されていることから、外枠の裏シートに凹凸があっても、この裏シートの凹凸により自己粘着処理層の自己粘着性を阻害することが低減される。
【００１３】
ここで、「封筒」とは、袋状に重畳された一対のシートの間に書類等のシート状材料が封入可能なものを意味し、郵送、宅配等に供されるものに限定されるものではない。「開口窓と合致する位置」とは、台紙を外枠に入れた状態において開口窓の縁と合致する位置を意味する。そのため、表シートの開口窓と台紙の写真枠用止付切込みとは同一形状となる。「止付切込み」とは、所定の間隔で小さな止め部分（切り込まれてない部分）を有する切込みを意味する。
【００１４】
【発明の実施の形態】
以下、適宜図面を参照しつつ本発明の実施の形態を詳説する。図１は本発明の一実施形態に係る封筒型フォトフレームを示す模式的斜視図、図２（ａ）及び（ｂ）は図１の封筒型フォトフレームの外枠を示す模式的表面図及び裏面図、図３は図１の封筒型フォトフレームのスタンドを組み立てた状態の裏面側を示す斜視図、図４は図１の封筒型フォトフレームを自己粘着シートを用いて垂直平滑面に貼着した状態を示す模式的側面図、図５は図１の封筒型フォトフレームを自己粘着シートを用いて垂直非平滑面に貼着した状態を示す模式図である。
【００１５】
図１の封筒型フォトフレームは、外枠１と、台紙２と、透明フィルム３と、自己粘着シート４とを備えている。
【００１６】
外枠１は、封筒状に３外縁が連結されかつ重畳された長方形状の表シート５及び裏シート６を有している。この外枠１は、表シート５及び裏シート６間に写真が入るサイズに形成されている。外枠１（表シート５及び裏シート６）の材料としては、半透明のトレーシングペーパーが用いられている。このトレーシングペーパーは、パルプを長時間叩解し液体に近い状態にして作られ、繊維間が空隙がなく、紙層構造は密であるため、光が透過できる紙素材である。このトレーシングペーパーとしては強度、厚さ、張力、耐水性等が高いクラシコトレーシングペーパーが好ましく、クラシコトレーシングペーパーにより当該封筒型フォトフレームの強度、耐久性等を向上することができる。また、トレーシングペーパーは種々の色彩が付加された有色半透明が好ましく、当該封筒型フォトフレームの意匠性を向上することができる。
【００１７】
表シート５は、図２（ａ）に示すように、中央部に内部の写真を表示するための開口窓７を有している。この開口窓７は、角を丸めた長方形とされているが、例えばハート形、楕円形等の種々の形状とすることができる。従って、この表シート５の開口窓７の外側部分がフォトフレームの写真枠を構成する。
【００１８】
裏シート６は、スタンド片が形成可能なスタンド用止付切込み８と、このスタンド片を係止可能なスタンド係止用止付切込み９とを有している。スタンド用止付切込み８は、対偶する両短辺１０の中央かつ平行に位置する曲折予定線１１を基準としてその両端から略コ字状に形成されている。スタンド係止用止付切込み９は、曲折予定線１１と十字状に交差する曲折予定線１２の両端から山状にかつ曲折予定線１１を基準として対称に形成されており、中央部に凹部１３を有している。
【００１９】
表シート５は、開口辺側から延出する所定幅の封止代１４を有している。この封止代１４は、先端側中央に略半円形の凸部１５を有している。一方、裏シート６は、表シート５の封止代１４を裏側に折り返した状態で凸部１５が挿入可能な位置に円弧状のスリット１６を有している。そのため、外枠１は、表シート５の封止代１４を裏側に折り返し、凸部１５をスリット１６に差し込むことで、当該封筒型フォトフレームに封をすることができる。
【００２０】
台紙２は、外枠１に丁度入る形状、具体的には外枠１より少し小さい方形に形成されている。台紙２に使用可能な紙素材としては、例えば未晒クラフト紙、晒クラフト紙、上質紙、中質紙、片艶未晒クラフト紙、純白ロール、グラシン紙、感熱紙、感圧紙、合成紙、和紙、トレーシングペーパー、各種コート紙、板紙、ライナー紙等が挙げられる。この台紙２は、表シート５の開口窓７の縁と合致する位置に写真枠用止付切込み２０を有している。従って、写真枠用止付切込み２０は、開口窓７と略同一形状であり、台紙２の中央部に形成されている。また、台紙２の表面及び裏面のうち少なくとも写真枠用止付切込み２０より外側の写真枠領域２１には、当該封筒型フォトフレームの意匠性を向上させる種々の模様が印刷されている。
【００２１】
透明フィルム３は、台紙２と同様に、外枠１に丁度入る形状、つまり外枠１より少し小さい方形に形成されている。この透明フィルム３の材料としては、特に限定されず、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が挙げられる。また、透明フィルム３は、無色透明、有色透明及び半透明とされ、封入された写真等の外部からの視認性を考慮すると無色透明が好ましい。
【００２２】
自己粘着シート４は、基材層２２と、この基材層２２の裏面に積層される自己粘着処理層２３と、この自己粘着処理層２３の裏面に積層される離型シート２４と、基材層２２の表面の中央部に積層される粘着剤層２５と、この粘着剤層２５の表面に積層される離型シート２６とを備えるている。
【００２３】
基材層２２は、自己粘着シート４に所定の強度、取扱性等を付与するものであり、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等から形成される。自己粘着処理層２３は、接着剤や粘着剤などを用いることなく自己粘着力を発揮しうるものである。この自己粘着処理層２３は、具体的には、（ａ）軟質ポリ塩化ビニル、（ｂ）ポリビニルエーテルに塩化ビニルをグラフト重合させた合成樹脂、（ｃ）アクリル酸エステルと塩化ビニルとをグラフト重合させた合成樹脂などの塩化ビニル系の軟質ポリマー、又は、これらの塩化ビニル系の軟質ポリマーに可塑剤や粘着付与剤などが配合された樹脂組成物を基材層２２裏面に塗工等することで形成される。粘着剤層２５は、粘着剤（接着剤を含む）を基材層２２表面の中央部に塗工等することで形成される。用いられる粘着剤としては、既知の種々のものが使用可能であるが、一般的には熱可塑性樹脂に粘着付与剤と可塑剤とが添加されたものであり、具体的には溶剤系粘着剤、エマルジョン系粘着剤などが挙げられる。離型シート２４は、自己粘着処理層２３側の面に離型機能（自己粘着処理層２３からの剥離を容易にする機能）を有するシートである。この離型シート２４により自己粘着処理層２３の自己粘着性が使用時まで遮蔽保護される。離型シート２６も、粘着剤層２５側の面に離型機能を有するシートであり、粘着剤層２５の粘着性を使用時まで遮蔽保護する。
【００２４】
当該封筒型フォトフレームは、台紙２の中央部の写真枠用止付切込み２０内の領域にメッセージや宛名等を記入し、台紙２を表側にして透明フィルム３、写真及び自己粘着シート４を入れ、プレゼントに供することができる。また、当該封筒型フォトフレームは、台紙２の中央部を写真枠用止付切込み２０に沿って切除し、台紙２、透明フィルム３及び写真を表側からこの順に重ねて外枠１に入れ、外枠１の表シート５の封止代１４を裏側に折り返して凸部１５を裏シート６のスリット１６に差し込むことで、写真が封止されかつ透明フィルム３及び開口窓７を介して外部から視認可能になり、写真を飾ることができる。このとき、表シート５の開口窓７が透明フィルム３によって被覆されていることから、外枠１内に封入した写真の視認性を阻害することなく保護され、写真の汚れや劣化が低減される。また、当該封筒型フォトフレームは、半透明の外枠１とこの外枠１を介してぼかして見える台紙２の模様とによって意匠性の高い写真枠が付加され、フォトフレームとしての品質が向上される。この台紙２を裏返して使用することで、当該封筒型フォトフレームの写真枠模様を切り替えることができる。さらに、当該封筒型フォトフレームは、紙素材や合成樹脂フィルムからなり、比較的軽量であるため、安価に製造され、貼着等により種々の場所に容易に設置することができる。
【００２５】
次に、当該封筒型フォトフレームの設置方法を図３〜図５に従って説明する。当該封筒型フォトフレームをスタンドとして自立設置する場合、図３に示すように、まず、裏シート６のスタンド用止付切込み８に沿って切断し、スタンド用止付切込み８で囲まれる略コ字状のスタンド片１７を曲折予定線１１で外側に略垂直に曲折し、スタンド係止用止付切込み９で囲まれる舌片状のスタンド係止片１８を曲折予定線１２で外側に曲折する。このスタンド係止片１８の凹部１３とスタンド片１７の内方に形成されるＶ字状の切込み１９とを差し込み係合させる。このようにして突設されたスタンド片１７により当該封筒型フォトフレームを横に立てることができる。
【００２６】
当該封筒型フォトフレームを垂直な平滑面Ｘに設置する場合、図４に示すように、自己粘着シート４の両離型シート２４、２６を剥離し、露出した粘着剤層２５を外枠１の裏シート６に貼設することで、自己粘着処理層２３の自己粘着性によって当該封筒型フォトフレームを例えば部屋の窓ガラス、冷蔵庫の壁面等の平滑面Ｘに自在に貼り付けることができる。また、当該自己粘着シート４は、自己粘着処理層２３の自己粘着性により貼着しているため、貼り直しが容易かつ自在に行え、貼り付け面を汚したり、傷つけることが防止される。さらに、当該自己粘着シート４と外枠１との粘着剤層２５による接合が基材層２２の中央部のみとされているため、外枠１裏面の凹凸に起因する自己粘着性の低下が低減される。
【００２７】
当該封筒型フォトフレームを垂直な非平滑面Ｙに設置する場合、図５に示すように、自己粘着シート４の離型シート２６のみを剥離し、露出した粘着剤層２５を外枠１の裏シート６の上端近傍に貼設し、外枠１からはみ出した基材層２２部分に押しピン等を穿設することで、当該封筒型フォトフレームを例えば壁面等の非平滑面Ｙに容易に貼り付けることができる。
【００２８】
なお、本発明の封筒型フォトフレームは上記実施形態に限定されるものではない。例えば、貼着手段としては、上記自己粘着シートに限定されず、磁気を有するマグネット層、このマグネット層の表面側に積層される粘着剤層、及び粘着剤層の表面に積層される離型シートを備えているマグネットシートも用いることができる。このマグネットシートは、離型シートを剥離し、粘着剤層を外枠の表シートに貼設することで、マグネット層の磁力によって当該封筒型フォトフレームを常磁性体面に貼着することができる。
【００２９】
【発明の効果】
以上説明したように、本発明の封筒型フォトフレームは、優れた取扱性、写真保護性、意匠性及び低廉性を有し、任意個所に容易に写真を飾ることができる。
【図面の簡単な説明】
【図１】本発明の一実施形態に係る封筒型フォトフレームを示す模式的斜視図である。
【図２】（ａ）及び（ｂ）は図１の封筒型フォトフレームの外枠を示す模式的表面図及び模式的裏面図である。
【図３】図１の封筒型フォトフレームのスタンドを組み立てた状態の裏面側を示す斜視図である。
【図４】図１の封筒型フォトフレームを自己粘着シートを用いて垂直平滑面に貼着した状態を示す模式的側面図である。
【図５】図１の封筒型フォトフレームを自己粘着シートを用いて垂直非平滑面に貼着した状態を示す模式図である。
【符号の説明】
１  外枠
２  台紙
３  透明フィルム
４  自己粘着シート
５  表シート
６  裏シート
７  開口窓
８  スタンド用止付切込み
９  スタンド係止用止付切込み
１０  短辺
１１  曲折予定線
１２  曲折予定線
１３  凹部
１４  封止代
１５  凸部
１６  スリット
１７  スタンド片
１８  スタンド係止片
１９  切込み
２０  写真枠用止付切込み
２１  写真枠領域
２２  基材層
２３  自己粘着処理層
２４  離型シート
２５  粘着剤層
２６  離型シート
【図１】
2005058251.tif 000003
【図２】
2005058251.tif 000004
【図３】
2005058251.tif 000005
【図４】
2005058251.tif 000006
【図５】
2005058251.tif 000007